(57)【特許請求の範囲】
【請求項１】
消火器の本体上部に設けられたヘッド部に基端部が連結されて後方に延びる上下一対のレバーのうち上レバーの前記基端部と、該上レバーの基端部から上方に突出する安全栓の摘み部とを包囲して保護する段ボール製の消火器用保護部材であって、
第１側板に形成された開口部に前記上レバーを挿通して該上レバーの基端部に近接する位置で起立状態とし、
前記第１側板の一方側縁に折目線を介して連設された第２側板を前記上レバー及び前記摘み部の一方側部に沿って折り曲げ、
前記第２側板の一方側縁に折目線を介して連設された第３側板を前記上レバー及び前記摘み部の前部に沿って折り曲げ、
前記第３側板の一方側縁に折目線を介して連設された第４側板を前記上レバー及び前記摘み部の他方側部に沿って折り曲げ、
前記第１側板の他方側縁から突出する突片を、前記第４側板に形成された切欠き部に係止させ、四角筒状に形成してなることを特徴とする消火器用保護部材。
【請求項２】
前記第１側板の前記突片を、前記第４側板の前記切欠き部に係止させたとき、
第２側板に対する第３側板の折曲角度と第３側板に対する第４側板の折曲角度との合計が１８０°より大きくなるように形成されていることを特徴とする請求項１記載の消火器用保護部材。
【請求項３】
前記第１側板の開口部は、該第１側板と前記第２側板との境界に一部が接する形状とされていることを特徴とする請求項１又は２記載の消火器用保護部材。
【発明の詳細な説明】
【技術分野】
【０００１】
本発明は、消火器の輸送時等において安全栓を保護する段ボール紙製の保護部材に関する。
【背景技術】
【０００２】
消火器の本体上部に設けられたヘッド部は、消火器の使用時に揺動操作する上レバーと、上レバーと共に把持したり持ち運ぶ際に把持する下レバーと、上レバーの不用意な操作を防止する安全栓とを備えている。安全栓は、消火器の使用時に取り除くためにリング状の摘み部を有し、この摘み部は、上レバーの基端部側の上方に突出している。
【０００３】
そして、消火器を段ボール箱に収容して輸送する際等には、消火器のヘッド部の安全栓の摘み部等が損傷しないように、ヘッド部を保護する保護部材が取り付けられる（例えば、特許文献１参照）。
【先行技術文献】
【特許文献】
【０００４】
【特許文献１】実開昭５４−６１８２９号公報（第２図）
【発明の概要】
【発明が解決しようとする課題】
【０００５】
しかし、従来の保護部材は、上下のレバーと安全栓の摘み部を含むヘッド部全体を包囲するように設けられる。このため、例えば箱内に収納された消火器を箱から取り出す際に、保護部材が邪魔になって下レバーを円滑に把持することができない不都合があった。
【０００６】
また、この種の保護部材は、段ボール板紙によって形成することにより、リサイクルや焼却が容易となるが、ヘッド部全体を包囲する形状であるために、段ボール板紙の使用面積が比較的大きく、不経済である。
【０００７】
上記の点に鑑み、本発明は、段ボール板紙の使用面積を比較的小さくしてしかも確実に安全栓の損傷を防止することができ、更に、消火器への着脱を容易に行うことができる消火器用保護部材を提供することを目的とする。
【課題を解決するための手段】
【０００８】
本発明は、消火器の本体上部に設けられたヘッド部に基端部が連結されて後方に延びる上下一対のレバーのうち上レバーの前記基端部と、該上レバーの基端部から上方に突出する安全栓の摘み部とを包囲して保護する段ボール製の消火器用保護部材であって、第１側板に形成された開口部に前記上レバーを挿通して該上レバーの基端部に近接する位置で起立状態とし、前記第１側板の一方側縁に折目線を介して連設された第２側板を前記上レバー及び前記摘み部の一方側部に沿って折り曲げ、前記第２側板の一方側縁に折目線を介して連設された第３側板を前記上レバー及び前記摘み部の前部に沿って折り曲げ、前記第３側板の一方側縁に折目線を介して連設された第４側板を前記上レバー及び前記摘み部の他方側部に沿って折り曲げ、前記第１側板の他方側縁から突出する突片を、前記第４側板に形成された切欠き部に係止させ、四角筒状に形成してなることを特徴とする。
【０００９】
本発明の保護部材によれば、第１側板の開口部に上レバーを挿通した状態でヘッド部を覆うので、保護部材を大きな形状としなくても確実に安全栓を保護することができ、これによって材料となる段ボール板紙の面積を小さくすることができるので、材料費を低減することができる。
【００１０】
更に、本発明の保護部材によれば、各側板を折目線に沿って折り曲げて突片を切欠き部に係止させるだけで、四角筒状の保護部材を形成することができ、それと同時に安全栓の摘み部を保護した状態となる。従って、保護部材の取り付けや取り外しの作業を極めて容易に行うことができる。そして、保護部材は、段ボール板紙から組立てられることにより、リサイクルや焼却が容易であるだけでなく、未使用状態や取り外し後に偏平となるため嵩張らない。
【００１１】
更に、本発明によれば、開口部を介して上レバーが露出するので、下レバーの上方が開放され、例えば、消火器を収納した箱内から消火器を取り出す際に、下レバーを円滑に把持することができて消火器を円滑に箱内から取り出すことができる。
【００１２】
また、本発明の保護部材においては、前記第１側板の前記突片を、前記第４側板の前記切欠き部に係止させたとき、第２側板に対する第３側板の折曲角度と第３側板に対する第４側板の折曲角度との合計が１８０°より大きくなるように形成されていることが好ましい。
【００１３】
保護部材が四角筒状であり、第２側板に対する第３側板の折曲角度と第３側板に対する第４側板の折曲角度との合計が１８０°より大きいことにより、第３側板及び第４側板を折り曲げた際の段ボール板紙の復元力を比較的小さく抑えることができる。これにより、切欠き部に対して突片の係止が外れる方向への反発力が小さくなるので、切欠き部に対する突片の係止状態を確実に維持することができる。
【００１４】
また、本発明において、前記第１側板の開口部は、該第１側板と前記第２側板との境界に一部が接する形状とされていることが好ましい。これによれば、第１側板と第２側板との境界で折り曲げるときに、開口部に接する範囲には折り曲げに伴う段ボール板紙の復元力が発生しない。従って、保護部材をヘッド部に取り付ける際の第１側板と前記第２側板との境界の折目線の折り曲げが極めて容易となり、円滑な取り付け作業を行うことができる。
【図面の簡単な説明】
【００１５】
【図１】本発明の一実施形態の消火器用保護部材の使用状態を示す側面図。
【図２】本実施形態の消火器用保護部材の使用状態を示す平面図。
【図３】本実施形態の消火器用保護部材の展開図。
【発明を実施するための形態】
【００１６】
本発明の一実施形態を図面に基づいて説明する。本実施形態の消火器用保護部材１は、図１及び図２に示すように、消火器２を輸送する際等に消火器２に取り付けるものである。
【００１７】
本実施形態の保護部材１が取り付けられる消火器２は、本体３と、本体の上部に設けられたヘッド部４と、ヘッド部４から前方に延びるホース５とを備えている。
【００１８】
ヘッド部４は、消火器２の本体３の上部に嵌着されており、ヘッド部４の上部には、ヘッド部４の後方に延びる上下で一対のレバー（上レバー６、下レバー７）が設けられている。下レバー７は、その基端部がヘッド部４に固定されており、上レバー６の操作時に把持される他、消火器２を持ち運ぶ際にも把持される。
【００１９】
一方、上レバー６は、その基端部がヘッド部４上の下レバー７の基端部を介して揺動自在に連結され、消火器２を使用する際に揺動操作される。また、上レバー６の基端部側には、上レバー６の不用意な揺動を防止するための安全栓８が設けられている。安全栓８は、指掛け可能なリング状の摘み部８ａがヘッド部４の上部に突出しており、上レバー６を操作する際にヘッド部４から上方に引き抜かれる。
【００２０】
安全栓８の摘み部８ａは、ヘッド部４の上部に突出していて外部の物に接触し易い。このため、消火器２の輸送等の際には安全栓８の摘み部８ａの損傷等を防止する必要がある。本実施形態の保護部材１は、ヘッド部４を包囲するように設けることで、安全栓８の摘み部８ａを収容して保護するものである。
【００２１】
次に、本実施形態の保護部材１の構成について説明する。保護部材１は、図３に示すように、長方形状に打ち抜かれた段ボール板紙９から組立てられる。段ボール板紙９は、その長手方向に配列された４つの側板１０，１２，１４，１６を備えている。
【００２２】
即ち、第１側板１０と、第１側板１０の一側端に第１折目線１１を介して連設された第２側板１２と、第２側板１２の一側端に第２折目線１３を介して連設された第３側板１４と、第３側板１４の一側端に第３折目線１５を介して連設された第４側板１６とを備えている。
【００２３】
第１側板１０の第１折目線１１と反対側の側端には突片１７が形成されている。また、第１側板１０には四角形に切り抜かれた開口部１８が形成されている。開口部１８は、第１側板１０と第２側板１２との境界（第１折目線１１と同一線上）に一辺が接する四角形状に形成されている。更に、開口部１８は、上レバー６が挿通可能な大きさに形成されている。
【００２４】
第４側板１６の第３折目線１５と反対側の側端には切欠き部１９が形成されている。切欠き部１９は、第１側板１０から突出する突片１７に対応する位置に設けられ、突片１７と係合する形状とされている。
【００２５】
また、４つの側板１０，１２，１４，１６の連設方向における各側板１０，１２，１４，１６の長さ寸法は、互いに対向するもの同士で第１側板１０が第３側板１４より大きく、第４側板１６が第２側板１２よりも大きい。そして、４つの側板１０，１２，１４，１６のなかで第４側板１６が最も大きく、第３側板１４が最も小さい。
【００２６】
次に、本実施形態の保護部材１のヘッド部４への取り付けを説明すれば、先ず、第１側板１０の開口部１８に上レバー６を挿通させ、第１側板１０上レバー６の基端部に近接させて起立状態とする。次いで、第２側板１２を上レバー６及び摘み部８ａの一方側部（図２においてヘッド部４の右側）に沿って折り曲げ、更に、第３側板１４を上レバー６及び摘み部８ａの前部（図２において上レバー６の上側）に沿って折り曲げる。続いて、第４側板１６を上レバー６及び摘み部８ａの他方側部（図２においてヘッド部４の左側）に沿って折り曲げ、切欠き部１９に突片１７を係止させる。
【００２７】
このように、保護部材１は四角筒状に形成されると同時に、上レバー６の基端部と安全栓８の摘み部８ａは保護部材１に包囲された状態となる。これによって、例えば、図示しない包装箱に消火器２を収容して輸送する際等に、保護部材１によって安全栓８の摘み部８ａを確実に保護することができる。
【００２８】
ところで、４つの側板１０，１２，１４，１６の連設方向における各側板１０，１２，１４，１６の長さ寸法は、上述したように、互いに異なっている。このため、図２に示すように、保護部材１の平面視形状は、歪んだ四角形となる。そして、第１側板１０が第３側板１４より大きく、第４側板１６が第２側板１２よりも大きいことから、第２側板１２に対する第３側板１４の折曲角度θａと第３側板１４に対する第４側板１６の折曲角度θｂとの合計は１８０°より大きくなる。
【００２９】
保護部材１は段ボール板紙９を折り曲げて形成されるので、各側板１０，１２，１４，１６の間の折り曲げ角度によっては復元力が大きくなるが、第２側板１２に対する第３側板１４の折曲角度θａと第３側板１４に対する第４側板１６の折曲角度θｂとの合計は１８０°より大きいことにより、折り曲げ時に第４側板１６に対して作用する反発力を小さく抑えることができる。
【００３０】
しかも、第１側板１０と第２側板１２との境界には開口部１８の一辺が接しているので、第１側板１０に対して第２側板１２を折り曲げる際に、その抵抗が比較的小さくなると共に、第１折目線１１において発生する復元力も小さくなる。
【００３１】
従って、本実施形態の保護部材１によれば、展開状態の段ボール板紙９から四角筒状の保護部材１を形成する際の作業が極めて円滑に行えるだけでなく、切欠き部１９に対する突片１７の係止状態を確実に維持することができる。
【００３２】
また、本実施形態の保護部材１によれば、図１に示すように、開口部１８を介して上レバー６が露出するので、上レバー６及び下レバー７の上方が開放された状態となる。これによって、例えば、消火器２を収納した包装箱等箱から消火器２を取り出す際に、下レバー７を円滑に把持することができ、消火器２を円滑に包装箱内から取り出すことができる。しかも、保護部材１は、上レバー６の大部分を露出させて、比較的コンパクトに安全栓８の摘み部８ａを包囲するようにしたので、保護部材１の材料となる段ボール板紙９の面積を小さくすることができ、材料費を低減することができる。
【符号の説明】
【００３３】
１…消火器用保護部材、２…消火器、３…本体、４…ヘッド部、６…上レバー、７…下レバー、８…安全栓、８ａ…摘み部、１０…第１側板、１２…第２側板、１４…第３側板、１６…第４側板、１７…突片、１８…開口部、１９…切欠き部。
【図１】
0005591903.tif 000002
【図２】
0005591903.tif 000003
【図３】
0005591903.tif 000004